(57)【要約】  【課題】  構造物の異常をその管理団体に容易に通報することができるような通報システムを提供するものである。  【解決手段】  携帯型リーダ装置２０は、構造物に取付けられた無線タグ１０から無線通信によりタグ情報を読み出すタグ情報読出し手段と、付加情報を生成する付加情報生成手段と、前記タグ情報１０及び前記付加情報を管理装置２０１に通信ネットワーク５０を介して送信する情報送信手段とを有し、前記通報管理装置は、各無線タグのタグ識別情報に対応づけて通報先施設３００を特定する通報先情報を管理する管理データベースと、前記携帯型リーダ装置２０から前記タグ情報及び付加情報を受信すると、前記受信されたタグ情報に含まれるタグ識別情報に対応して前記管理データベースにて管理される通報先情報に基づいて前記タグ情報及び付加情報を前記通報先施設３００に通報用ネットワーク５０を介して送信する通報情報送信手段とを有する構成となる。【選択図】  図１
2005228067.tif 000002
【特許請求の範囲】
【請求項１】
構造物に取付けられる無線タグと、
前記無線タグから無線通信によって情報を読出し、また、所定の通信ネットワークを介した情報通信を行う携帯型リーダ装置と、
前記通信ネットワーク及び通報用ネットワークに接続された通報管理装置とを有し、
前記無線タグは、少なくともタグ識別情報を含むタグ情報を前記携帯型リーダ装置にて読み出されるべき情報として記憶するタグ情報記憶手段を有し、
前記携帯型リーダ装置は、前記無線タグから無線通信により前記タグ情報を読み出すタグ情報読出し手段と、
所定の付加情報を生成する付加情報生成手段と、
前記無線タグから読み出したタグ情報及び前記付加情報を前記管理装置に前記通信ネットワークを介して送信する情報送信手段とを有し、
前記通報管理装置は、各無線タグのタグ識別情報に対応づけて通報先施設を特定する通報先情報を管理する管理データベースと、
前記携帯型リーダ装置から前記タグ情報及び付加情報を受信する情報受信手段と、
前記受信されたタグ情報に含まれるタグ識別情報に対応して前記管理データベースにて管理される通報先情報に基づいて前記タグ情報及び付加情報を前記通報先施設に前記通報用ネットワークを介して送信する通報情報送信手段とを有することを特徴とする通報システム。
【請求項２】
構造物に取付けられた無線タグと、
前記無線タグから無線通信によって情報を読出し、また、所定の通信ネットワークを介した情報通信を行う携帯型リーダ装置と、
前記通信ネットワーク及び通報用ネットワークに接続された通報管理装置とを有し、
前記無線タグは、少なくともタグ識別情報及び通報先施設を特定する通報先情報を含むタグ情報を前記携帯型リーダ装置にて読取られるべき情報として記憶するタグ情報記憶手段を有し、
前記携帯型リーダ装置は、前記無線タグから無線通信により前記タグ情報を読み出す情報読出し手段と、
所定の付加情報を生成する付加情報生成手段と、
前記無線タグから読み出したタグ情報及び前記付加情報を前記管理装置に前記通信ネットワークを介して送信する情報送信手段とを有し、
前記通報管理装置は、前記携帯型リーダ装置から前記タグ情報及び付加情報を受信する情報受信手段と、
前記受信されたタグ情報に含まれる通報先情報に基づいて前記タグ情報及び付加情報を前記通報先施設に前記通報用ネットワークを介して送信する通報情報送信手段とを有することを特徴とする通報システム。
【請求項３】
構造物に取付けられる無線タグと、
前記無線タグから無線通信によって情報を読出し、また、所定の通信ネットワークを介した情報通信を行う携帯型リーダ装置と、
前記通信ネットワークに接続された通報管理装置とを有し、
前記無線タグは、少なくともタグ識別情報を含むタグ情報を前記携帯型リーダ装置にて読み出されるべき情報として記憶するタグ情報記憶手段を有し、
前記携帯型リーダ装置は、前記無線タグから無線通信により前記タグ情報を読み出すタグ情報読出し手段と、
所定の付加情報を生成する付加情報生成手段と、
前記無線タグから読み出したタグ情報及び前記付加情報を前記管理装置に前記通信ネットワークを介して送信する情報送信手段とを有し、
前記通報管理装置は、各無線タグのタグ識別情報に対応づけて通報先施設を特定する通報先情報を管理する管理データベースと、
前記携帯型リーダ装置から前記タグ情報及び付加情報を受信する情報受信手段と、
前記受信したタグ情報に含まれるタグ識別情報に対応して前記管理データベースにて管理される通報先情報にて特定される通報先施設に前記タグ情報及び付加情報を通知するための所定の支援処理を行なう支援処理手段とを有することを特徴とする通報システム。
【請求項４】
構造物に取付けられた無線タグと、
前記無線タグから無線通信によって情報を読出し、また、所定の通信ネットワークを介した情報通信を行う携帯型リーダ装置と、
前記通信ネットワークに接続された通報管理装置とを有し、
前記無線タグは、少なくともタグ識別情報及び通報先施設を特定する通報先情報を含むタグ情報を前記携帯型リーダ装置にて読取られるべき情報として記憶するタグ情報記憶手段を有し、
前記携帯型リーダ装置は、前記無線タグから無線通信により前記タグ情報を読み出す情報読出し手段と、
所定の付加情報を生成する付加情報生成手段と、
前記無線タグから読み出したタグ情報及び前記付加情報を前記管理装置に前記通信ネットワークを介して送信する情報送信手段とを有し、
前記通報管理装置は、前記リーダ装置から前記タグ情報及び付加情報を受信する情報受信手段と、
前記受信したタグ情報に含まれる通報先情報にて特定される通報先施設に前記タグ情報及び付加情報を通知するための所定の支援処理を行なう支援処理手段を有することを特徴とする通報システム。
【請求項５】
前記支援処理手段は、前記通報先情報、タグ情報及び付加情報を出力ユニットから出力させる出力処理手段を有することを特徴とする請求項３または４記載の通報システム。
【請求項６】
前記タグ情報は、前記無線タグが取付けられる構造物の設置位置を表す位置情報を含むことを特徴とする請求項１乃至５いずれかに記載の通報システム。
【請求項７】
前記付加情報生成手段は、前記携帯型リーダ装置の位置を検出して位置情報を出力する位置検出手段を有し、前記位置情報を付加情報として生成することを特徴とする請求項１乃至５のいずれかに記載の通報システム。
【請求項８】
前記付加情報生成手段は、所定の視野範囲を撮影して画像情報を出力する撮影手段を有し、前記画像情報を付加情報として生成することを特徴とする請求項１乃至７のいずれかに記載の通報システム。
【請求項９】
構造物に取付けられる無線タグであって、
少なくともタグ識別情報及び前記構造物の設置位置を表す位置情報を含むタグ情報を記憶するタグ情報記憶手段と、
携帯型リーダ装置との無線通信により前記タグ情報記憶手段に記憶されたタグ情報を前記リーダ装置に送信するタグ情報送信手段とを有することを特徴とする無線タグ。
【請求項１０】
前記タグ情報は、更に通報先施設を特定する通報先情報を含むことを特徴とする請求項９記載の無線タグ。
【請求項１１】
構造物に取付けられ、少なくともタグ識別情報を含むタグ情報を記憶するタグ情報記憶手段を有する無線タグと無線通信を行う携帯型リーダ装置であって、
前記無線タグから無線通信により前記タグ情報を読み出す情報読出し手段と、
所定の付加情報を生成する付加情報生成手段と、
前記無線タグから読み出したタグ情報及び前記付加情報を通報管理装置に所定の通信ネットワークを介して送信する情報送信手段とを有することを特徴とする携帯型リーダ装置。
【請求項１２】
前記付加情報生成手段は、所定の視野範囲を撮影して画像情報を出力する撮影手段を有し、前記画像情報を付加情報として生成することを特徴とする請求項１１記載の携帯型リーダ装置。
【請求項１３】
前記付加情報生成手段は、当該携帯型リーダ装置の位置を検出して位置情報を出力する位置検出手段を有し、前記位置情報を付加情報として生成することを特徴とする請求項１１または１２記載の携帯型リーダ装置。
【請求項１４】
構造物に取付けられ、少なくともタグ識別情報を含むタグ情報を記憶した無線タグから無線通信によって前記タグ情報を読み出す携帯型リーダ装置と所定の通信ネットワークを介して情報通信を行う通報管理装置であって、
各無線タグのタグ識別情報に対応付けて通報先施設を特定する通報先情報を管理する管理データベースと、
前記携帯型リーダ装置から前記タグ情報及び所定の付加情報を受信する情報受信手段と、
前記受信したタグ情報に含まれるタグ識別情報に対応して前記管理データベースにて管理される通報先情報に基づいて前記タグ情報及び付加情報を前記通報先施設に通報用ネットワークを介して送信する通報情報送信手段とを有することを特徴とする通報管理装置。
【請求項１５】
構造物に取付けられ、少なくともタグ識別情報及び通報先を特定する通報先情報を含むタグ情報を記憶した無線タグから無線通信によって前記タグ情報を読み出す携帯型リーダ装置と所定の通信ネットワークを介して情報通信を行う通報管理装置であって、
前記携帯型リーダ装置から前記タグ情報及び所定の付加情報を受信する情報受信手段と、
前記受信したタグ情報に含まれる通報先情報に基づいて前記タグ情報及び付加情報を前記通報先施設に通報用ネットワークを介して送信する通報情報送信手段を有することを特徴とする通報管理装置。
【請求項１６】
構造物に取付けられ、少なくともタグ識別情報を含むタグ情報を記憶した無線タグから無線通信によって前記タグ情報を読み出す携帯型リーダ装置と所定の通信ネットワークを介して情報通信を行う通報管理装置であって、
各無線タグのタグ識別情報に対応付けて通報先施設を特定する通報先情報を管理する管理データベースと、
前記携帯型リーダ装置から前記タグ情報及び所定の付加情報を受信する情報受信手段と、
前記受信したタグ情報に含まれるタグ識別情報に対応して前記管理データベースにて管理される通報先情報にて特定される通報先施設に前記タグ情報及び付加情報を通知するための所定の支援処理を行なう支援処理手段とを有することを特徴とする管理装置。
【請求項１７】
構造物に取付けられ、少なくともタグ識別情報及び通報先施設を特定する通報先情報を記憶した無線タグから無線通信によって前記タグ情報を読み出す携帯型リーダ装置と所定の通信ネットワークを介して情報通信を行う通報管理装置であって、
前記携帯型リーダ装置から前記タグ情報及び所定の付加情報を受信する情報受信手段と、
前記受信したタグ情報に含まれる通報先情報にて特定される通報先施設に前記タグ情報及び付加情報を通知するための所定の支援処理を行なう支援処理手段を有することを特徴とする通報管理装置。
【請求項１８】
前記タグ情報は、当該無線タグが取付けられた構造物の設置位置を特定する位置情報を含むことを特徴とする請求項１４乃至１７のいずれかに記載の通報管理装置。
【請求項１９】
前記携帯型リーダ装置から受信される前記付加情報は、前記携帯型リーダ装置にて検出された前記携帯型リーダ装置の位置を表す位置情報を含むことを特徴とする請求項１４乃至１７のいずれかに記載の通報管理装置。
【請求項２０】
構造物に取付けられ、少なくともタグ識別情報を含むタグ情報を記憶した無線タグから無線通信によって前記タグ情報を読み出す携帯型リーダ装置と所定の通信ネットワークを介して情報通信を行う装置での通報処理方法であって、
前記携帯型リーダ装置から前記タグ情報及び所定の付加情報を受信するステップと、
各無線タグのタグ識別情報に対応付けて通報先施設を特定する通報先情報を管理する管理データベースから前記受信したタグ情報に含まれるタグ識別情報に対応した通報先情報を検索するステップと、
前記通信先情報に基づいて前記タグ情報及び付加情報を前記通報先施設に通報用ネットワークを介して送信するステップとを有することを特徴とする通報処理方法。
【請求項２１】
構造物に取付けられ、少なくともタグ識別情報及び通報先施設を特定する通報先情報を含むタグ情報を記憶した無線タグから無線通信によって前記タグ情報を読み出す携帯型リーダ装置と所定の通信ネットワークを介して情報通信を行う装置での通報処理方法であって、
前記携帯型リーダ装置から前記タグ情報及び所定の付加情報を受信するステップと、
前記受信したタグ情報に含まれる通報先情報に基づいて前記タグ情報及び付加情報を前記通報先施設に通報用ネットワークを介して送信するステップを有することを特徴とする通報処理方法。
【請求項２２】
構造物に取付けられ、少なくともタグ識別情報を含むタグ情報を記憶した無線タグから無線通信によって前記タグ情報を読み出す携帯型リーダ装置と所定の通信ネットワークを介して情報通信を行う装置での通報処理方法であって、
前記携帯型リーダ装置から前記タグ情報及び所定の付加情報を受信するステップと、
各無線タグのタグ識別情報に対応付けて通報先施設を特定する通報先情報を管理する管理データベースから前記受信したタグ情報に含まれるタグ識別情報に対応した通報先情報を検索するステップと、
前記通報先情報にて特定される通報先施設に前記タグ情報及び付加情報を通知するための所定の支援処理を行なうステップとを有することを特徴とする通報処理方法。
【請求項２３】
構造物に取付けられ、少なくともタグ識別情報及び通報先施設を特定する通報先情報を含むタグ情報を記憶した無線タグから無線通信によって前記タグ情報を読み出す携帯型リーダ装置と所定のネットワークを介して情報通信を行う装置での通報処理方法であって、
前記携帯型リーダ装置から前記タグ情報及び所定の付加情報を受信するステップと、
前記受信したタグ情報に含まれる通報先情報にて特定される通報先施設に前記タグ情報及び付加情報を通知するための所定の支援処理を行なうステップを有することを特徴とする通報処理方法。
【発明の詳細な説明】
【技術分野】
【０００１】
本発明は、構造物の破損等の不具合を予め定めた通報先に通報する通報システム、その通報システムにて用いられる通報管理装置及びその通報管理方法に関する。
【背景技術】
【０００２】
従来、道路状況等の情報収集システムが提案されている（例えば、特許文献１参照）。この従来の情報収集システムでは、道路の路側に設置された非常電話用の端末施設を利用するものであって、各端末施設に道路状況を撮影するカメラを配備し、そのカメラにて撮影された画像を非常電話の電話回線を介して中央施設に送信している。そして、中央施設では、端末施設から送られてきた画像を画像端末（例えば、ＰＣ端末）に表示させている。これにより、各端末施設の近傍の道路状況を中央施設にて集中的に監視することができるようになる。
【特許文献１】特開２００１−２３０７５号公報
【発明の開示】
【発明が解決しようとする課題】
【０００３】
ところで、電柱、電話ボックス、街灯、マンホール、銀行の夜間金庫、道路標識、踏み切りの遮断機、ショーウインドウ、公衆トイレ、公園の遊具、公共施設等の種々の構造物は多くの団体によって個別的に管理されている。このような構造物の破損、落書き、異常等を発見するために、各団体の職員は、必要に応じて自団体が管理する構造物の見回りを行なっている。しかし、見回りの対象となる構造物の数の多さ及び時間的な制約から、十分な見回りができないのが現状である。
【０００４】
そこで、各構造物の状況を把握するために前述したような情報収集システムを利用することが考えられる。管理する構造物の少ない団体では、そのような情報収集システムを利用して各構造物の監視を行なうことは可能ではあるものの、電柱、電話ボックス、マンホール等の構造物はその数が多く、それらの状況を撮影するカメラを設置することは、現実的ではない。
【０００５】
また、電柱、電話ボックス、マンホール、公衆トイレ等の構造物の異常を発見した一般の人は、その異常を具体的にどこに通報したらよいかが判らない。このため、せっかく構造物の異常が発見されているにもかかわらず、その異常の通報がその構造物の管理団体に即座に伝わらない。
【０００６】
そこで、本発明は前述した問題を解決するためになされたものであって、構造物の異常をその管理団体に容易に通報することができるような通報システムを提供するものである。
【課題を解決するための手段】
【０００７】
本発明に係る通報システムは、構造物に取付けられる無線タグと、前記無線タグから無線通信によって情報を読出し、また、所定の通信ネットワークを介した情報通信を行う携帯型リーダ装置と、前記通信ネットワーク及び通報用ネットワークに接続された通報管理装置とを有し、前記無線タグは、少なくともタグ識別情報を含むタグ情報を前記携帯型リーダ装置にて読み出されるべき情報として記憶するタグ情報記憶手段を有し、前記携帯型リーダ装置は、前記無線タグから無線通信により前記タグ情報を読み出すタグ情報読出し手段と、所定の付加情報を生成する付加情報生成手段と、前記無線タグから読み出したタグ情報及び前記付加情報を前記管理装置に前記通信ネットワークを介して送信する情報送信手段とを有し、前記通報管理装置は、各無線タグのタグ識別情報に対応づけて通報先施設を特定する通報先情報を管理する管理データベースと、前記携帯型リーダ装置から前記タグ情報及び付加情報を受信する情報受信手段と、前記受信されたタグ情報に含まれるタグ識別情報に対応して前記管理データベースにて管理される通報先情報に基づいて前記タグ情報及び付加情報を前記通報先施設に前記通報用ネットワークを介して送信する通報情報送信手段とを有する構成となる。
【０００８】
このような構成により、例えば構造物の異常を発見した者により所持される携帯型リーダ装置が前記構造物に取付けられた無線タグからタグ情報を読出し、更に付加情報を生成すると、そのタグ情報及び付加情報が携帯型リーダ装置から通報管理装置に送信される。そして、前記タグ情報及び付加情報を受信した通報管理装置は、前記タグ情報に含まれるタグ識別情報に対応して管理データベースにて管理される通報先情報に基づいて前記タグ情報及び付加情報を通報先施設に送信する。
【０００９】
従って、通報先施設では、タグ識別情報に対応付けて無線タグが取付けられた構造物の種類、設置位置等を管理していれば、前記タグ情報に基づいて構造物の設置位置、種類等の特定が可能になるとともに、付加情報にて表される事柄を得ることができるようになる。
【００１０】
前記付加情報は、当該通報システムにて通報先施設に提供すべきサービスに応じて任意に定めることができる。また、前記付加情報は、携帯型リーダ装置により自動的に生成されるものであっても、操作者の操作に基づいて生成されるものであってもよい。
【００１１】
通報管理装置が携帯型リーダ装置と情報通信を行う通信ネットワークと、前記通報管理装置が通報先施設と通信を行う通報用ネットワークとは、それぞれ別の通信インフラであっても、一方のネットワークの一部または全部が他方のネットワークに含まれるものであってもよい。
【００１２】
また、本発明に係る通報システムは、構造物に取付けられた無線タグと、前記無線タグから無線通信によって情報を読出し、また、所定の通信ネットワークを介した情報通信を行う携帯型リーダ装置と、前記通信ネットワーク及び通報用ネットワークに接続された通報管理装置とを有し、前記無線タグは、少なくともタグ識別情報及び通報先施設を特定する通報先情報を含むタグ情報を前記携帯型リーダ装置にて読取られるべき情報として記憶するタグ情報記憶手段を有し、前記携帯型リーダ装置は、前記無線タグから無線通信により前記タグ情報を読み出す情報読出し手段と、所定の付加情報を生成する付加情報生成手段と、前記無線タグから読み出したタグ情報及び前記付加情報を前記管理装置に前記通信ネットワークを介して送信する情報送信手段とを有し、前記通報管理装置は、前記携帯型リーダ装置から前記タグ情報及び付加情報を受信する情報受信手段と、前記受信されたタグ情報に含まれる通報先情報に基づいて前記タグ情報及び付加情報を前記通報先施設に前記通報用ネットワークを介して送信する通報情報送信手段とを有する構成となる。
【００１３】
このような構成により、例えば構造物の異常を発見した者により所持される携帯型リーダ装置が前記構造物に取付けられた無線タグからタグ情報を読出し、更に付加情報を生成すると、そのタグ情報及び付加情報が携帯型リーダ装置から通報管理装置に送信される。そして、前記タグ情報及び付加情報を受信した通報管理装置は、前記タグ情報に含まれる通報先情報に基づいて前記タグ情報及び付加情報を通報先施設に送信する。
【００１４】
この場合、通報管理装置は、タグ識別情報に対応付けて通報先施設を特定する通報先情報を特に管理していなくても携帯型リーダ装置から受信したタグ情報及び付加情報を通報先施設に送信できるようになる。
【００１５】
更に、本発明に係る通報システムは、構造物に取付けられる無線タグと、前記無線タグから無線通信によって情報を読出し、また、所定の通信ネットワークを介した情報通信を行う携帯型リーダ装置と、前記通信ネットワークに接続された通報管理装置とを有し、前記無線タグは、少なくともタグ識別情報を含むタグ情報を前記携帯型リーダ装置にて読み出されるべき情報として記憶するタグ情報記憶手段を有し、前記携帯型リーダ装置は、前記無線タグから無線通信により前記タグ情報を読み出すタグ情報読出し手段と、所定の付加情報を生成する付加情報生成手段と、前記無線タグから読み出したタグ情報及び前記付加情報を前記管理装置に前記通信ネットワークを介して送信する情報送信手段とを有し、前記通報管理装置は、各無線タグのタグ識別情報に対応づけて通報先施設を特定する通報先情報を管理する管理データベースと、前記携帯型リーダ装置から前記タグ情報及び付加情報を受信する情報受信手段と、前記受信したタグ情報に含まれるタグ識別情報に対応して前記管理データベースにて管理される通報先情報にて特定される通報先施設に前記タグ情報及び付加情報を通知するための所定の支援処理を行なう支援処理手段とを有する構成となる。
【００１６】
このような構成により、例えば構造物の異常を発見した者により所持される携帯型リーダ装置が前記構造物に取付けられた無線タグからタグ情報を読出し、更に付加情報を生成すると、そのタグ情報及び付加情報が携帯型リーダ装置から通報管理装置に送信される。そして、前記タグ情報及び付加情報を受信した通報管理装置は、前記タグ情報に含まれるタグ識別情報に対応して管理データベースにて管理される通報先情報にて特定される通報先施設に前記タグ情報及び付加情報を通知するための支援処理を行なう。
【００１７】
通報管理装置のオペレータは、前記支援処理により前記タグ情報及び付加情報を前記通報先施設に通知できるようになる。この通知は、電子メール、電話、ファックス等任意の通知手法をとることができる。
【００１８】
前記支援処理は、前記タグ情報及び付加情報を前記通報先施設に通知するオペレータを支援するためのものであれば特に限定されない。
【００１９】
また、本発明に係る通報システムは、構造物に取付けられた無線タグと、前記無線タグから無線通信によって情報を読出し、また、所定の通信ネットワークを介した情報通信を行う携帯型リーダ装置と、前記通信ネットワークに接続された通報管理装置とを有し、前記無線タグは、少なくともタグ識別情報及び通報先施設を特定する通報先情報を含むタグ情報を前記携帯型リーダ装置にて読取られるべき情報として記憶するタグ情報記憶手段を有し、前記携帯型リーダ装置は、前記無線タグから無線通信により前記タグ情報を読み出す情報読出し手段と、所定の付加情報を生成する付加情報生成手段と、前記無線タグから読み出したタグ情報及び前記付加情報を前記管理装置に前記通信ネットワークを介して送信する情報送信手段とを有し、前記通報管理装置は、前記リーダ装置から前記タグ情報及び付加情報を受信する情報受信手段と、前記受信したタグ情報に含まれる通報先情報にて特定される通報先施設に前記タグ情報及び付加情報を通知するための所定の支援処理を行なう支援処理手段を有する構成となる。
【００２０】
このような構成により、例えば構造物の異常を発見した者により所持される携帯型リーダ装置が前記構造物に取付けられた無線タグからタグ情報を読出し、更に付加情報を生成すると、そのタグ情報及び付加情報が携帯型リーダ装置から通報管理装置に送信される。そして、前記タグ情報及び付加情報を受信した通報管理装置は、前記タグ情報に含まれる通報先情報にて特定される通報先施設に前記タグ情報及び付加情報を通知するための支援処理を行なう。
【００２１】
この場合、通報管理装置は、タグ識別情報に対応付けて通報先施設を特定する通報先情報を特に管理していなくても携帯型リーダ装置から受信したタグ情報及び付加情報を通報先施設に通知するための支援処理を行なうことができるようになる。
【００２２】
本発明に係る通報システムは、前記支援処理手段が、前記通報先情報、タグ情報及び付加情報を出力ユニットから出力させる出力処理手段を有する構成とすることができる。
【００２３】
このような構成により、出力ユニットからの出力される通報先情報、タグ情報及び付加情報を見たオペレータは、その通報先情報にて特定される通報先施設に前記タグ情報及び付加情報を通知できるようになる。
【００２４】
また、本発明に係る通報システムは、前記タグ情報が、前記無線タグが取付けられる構造物の設置位置を表す位置情報を含む構成とすることができる。
【００２５】
このような構成により、通報管理装置から通報先施設に送信（通知）されるタグ情報に構造物の設置位置を表す位置情報が含まれることになるので、通報先施設では、特に、タグ識別情報に対応付けて構造物の設置位置を管理しなくても、その構造物の位置を特定することができるようになる。
【００２６】
更に、本発明に係る通報システムは、前記付加情報生成手段が、前記携帯型リーダ装置の位置を検出して位置情報を出力する位置検出手段を有し、前記位置情報を付加情報として生成する構成とすることができる。
【００２７】
このような構成により、携帯型リーダ装置の位置を構造物の設置位置として通報管理装置から通報先施設に送信（通知）することができるようになる。
【００２８】
また、本発明に係る通報システムは、前記付加情報生成手段が、所定の視野範囲を撮影して画像情報を出力する撮影手段を有し、前記画像情報を付加情報として生成する構成とすることができる。
【００２９】
このような構成により、携帯型リーダ装置を所持する者が当該携帯型リーダ装置を前記構造物が撮影範囲に納まるようにその向きを決めることにより前記構造物が撮影されることとなる。その結果、前記構造物の外観を表す画像情報が付加情報として携帯型リーダ装置から通報管理装置に送信され、更に、通報先施設に送信（通知）され得るようになる。
【００３０】
本発明に係る無線タグは、構造物に取付けられる無線タグであって、少なくともタグ識別情報及び前記構造物の設置位置を表す位置情報を含むタグ情報を記憶するタグ情報記憶手段と、携帯型リーダ装置との無線通信により前記タグ情報記憶手段に記憶されたタグ情報を前記リーダ装置に送信するタグ情報送信手段とを有する構成となる。
【００３１】
このような構成により、携帯型リーダ装置は、構造物の設置位置を表す位置情報をタグ識別情報と対応付けて取得できるようになる。従って、構造物が異常の際に、携帯型リーダ装置からその構造物の位置情報を他の装置に与えることができるようになる。
【００３２】
また、本発明に係る無線タグは、前記タグ情報が、更に通報先施設を特定する通報先情報を含む構成とすることができる。
【００３３】
このような構成により、携帯型リーダ装置は、構造物の設置位置を表す位置情報及び通報先を特定する通報先情報をタグ識別情報と対応付けて取得できるようになる。従って、構造物が異常の際に、携帯型リーダ装置からその構造物の位置情報及び通報先情報を他の装置に与えることができるようになる。
【００３４】
本発明に係る携帯型リーダ装置は、構造物に取付けられ、少なくともタグ識別情報を含むタグ情報を記憶するタグ情報記憶手段を有する無線タグと無線通信を行う携帯型リーダ装置であって、前記無線タグから無線通信により前記タグ情報を読み出す情報読出し手段と、所定の付加情報を生成する付加情報生成手段と、前記無線タグから読み出したタグ情報及び前記付加情報を通報管理装置に所定の通信ネットワークを介して送信する情報送信手段とを有する構成となる。
【００３５】
このような構成により、例えば構造物の異常を発見した者により所持される携帯型リーダ装置が前記構造物に取付けられた無線タグからタグ情報を読出し、更に付加情報を生成すると、そのタグ情報及び付加情報が携帯型リーダ装置から通報管理装置に送信される。通報管理装置では、タグ情報に含まれるタグ識別情報に対応付けて通報先施設を特定する通報先情報を管理すれば、前記タグ情報に含まれるタグ識別情報に対応した通報先情報に基づいて前記タグ情報及び付加情報を通報先施設に送信することができるようになる。
【００３６】
また、本発明に係る携帯型リーダ装置は、前記付加情報生成手段が、所定の視野範囲を撮影して画像情報を出力する撮影手段を有し、前記画像情報を付加情報として生成する構成とすることができる。
【００３７】
このような構成により、通報先施設に送信（通知）すべき情報として構造物を撮影して得られた画像情報を通報管理装置に送信することができるようになる。
【００３８】
更に、本発明に係る携帯型リーダ装置は、前記付加情報生成手段が、当該携帯型リーダ装置の位置を検出して位置情報を出力する位置検出手段を有し、前記位置情報を付加情報として生成する構成とすることができる。
【００３９】
このような構成により、通報先施設に送信（通知）すべき情報として構造物の位置と実施的に同じとなり得る携帯型リーダ装置の位置を表す位置情報を通報管理装置に送信することができるようになる。
【００４０】
本発明に係る通報管理装置は、構造物に取付けられ、少なくともタグ識別情報を含むタグ情報を記憶した無線タグから無線通信によって前記タグ情報を読み出す携帯型リーダ装置と所定の通信ネットワークを介して情報通信を行う通報管理装置であって、各無線タグのタグ識別情報に対応付けて通報先施設を特定する通報先情報を管理する管理データベースと、前記携帯型リーダ装置から前記タグ情報及び所定の付加情報を受信する情報受信手段と、前記受信したタグ情報に含まれるタグ識別情報に対応して前記管理データベースにて管理される通報先情報に基づいて前記タグ情報及び付加情報を前記通報先施設に通報用ネットワークを介して送信する通報情報送信手段とを有する構成となる。
【００４１】
このような構成により、携帯型リーダ装置からタグ情報及び付加情報が受信されると、前記タグ情報に含まれるタグ識別情報に対応して管理データベースにて管理される通報先情報に基づいて前記タグ情報及び付加情報が通報先施設に送信される。従って、通報先施設では、タグ識別情報に対応付けて無線タグが取付けられた構造物の種類、設置位置等を管理していれば、前記タグ情報に基づいて構造物の設置位置、種類等の特定が可能になるとともに、付加情報にて表される事柄を得ることができるようになる。
【００４２】
また、本発明に係る通報管理装置は、構造物に取付けられ、少なくともタグ識別情報及び通報先を特定する通報先情報を含むタグ情報を記憶した無線タグから無線通信によって前記タグ情報を読み出す携帯型リーダ装置と所定の通信ネットワークを介して情報通信を行う通報管理装置であって、前記携帯型リーダ装置から前記タグ情報及び所定の付加情報を受信する情報受信手段と、前記受信したタグ情報に含まれる通報先情報に基づいて前記タグ情報及び付加情報を前記通報先施設に通報用ネットワークを介して送信する通報情報送信手段を有する構成となる。
【００４３】
このような構成により、携帯型リーダ装置からタグ情報及び付加情報が受信されると、前記タグ情報に含まれる通報先情報に基づいて前記タグ情報及び付加情報が通報先施設に送信される。
【００４４】
更に、本発明に係る通報管理装置は、構造物に取付けられ、少なくともタグ識別情報を含むタグ情報を記憶した無線タグから無線通信によって前記タグ情報を読み出す携帯型リーダ装置と所定の通信ネットワークを介して情報通信を行う通報管理装置であって、各無線タグのタグ識別情報に対応付けて通報先施設を特定する通報先情報を管理する管理データベースと、前記携帯型リーダ装置から前記タグ情報及び所定の付加情報を受信する情報受信手段と、前記受信したタグ情報に含まれるタグ識別情報に対応して前記管理データベースにて管理される通報先情報にて特定される通報先施設に前記タグ情報及び付加情報を通知するための所定の支援処理を行なう支援処理手段とを有する構成となる。
【００４５】
このような構成により、携帯型リーダ装置からタグ情報及び付加情報が受信されると、前記タグ情報に含まれるタグ識別情報に対応して管理データベースにて管理される通報先情報にて特定される通報先施設に前記タグ情報及び付加情報を通知するための支援処理が行なわれる。通報管理装置のオペレータは、前記支援処理により前記タグ情報及び付加情報を前記通報先施設に通知できるようになる。
【００４６】
また、本発明に係る通報管理装置は、構造物に取付けられ、少なくともタグ識別情報及び通報先施設を特定する通報先情報を記憶した無線タグから無線通信によって前記タグ情報を読み出す携帯型リーダ装置と所定の通信ネットワークを介して情報通信を行う通報管理装置であって、前記携帯型リーダ装置から前記タグ情報及び所定の付加情報を受信する情報受信手段と、前記受信したタグ情報に含まれる通報先情報にて特定される通報先施設に前記タグ情報及び付加情報を通知するための所定の支援処理を行なう支援処理手段を有する構成とすることができる。
【００４７】
このような構成により、携帯型リーダ装置からタグ情報及び付加情報が受信されると、前記タグ情報に含まれる通報先情報にて特定される通報先施設に前記タグ情報及び付加情報を通知するための支援処理が行なわれる。
【００４８】
更に、本発明に係る通報管理装置は、前記タグ情報が、当該無線タグが取付けられた構造物の設置位置を特定する位置情報を含む構成とすることができる。
【００４９】
このような構成により、構造物の位置を検出する特段の仕組みを要することなく、通報先施設に構造物の位置情報を送信（通知）できるようになる。
【００５０】
また、本発明に係る通報管理装置は、前記携帯型リーダ装置から受信される前記付加情報は、前記携帯型リーダ装置にて検出された前記携帯型リーダ装置の位置を表す位置情報を含む構成とすることができる。
【００５１】
このような構成により、構造物の位置を検出する特段の仕組みを要することなく、携帯型リーダ装置の位置情報を構造物の位置情報として通報先施設に送信（通知）することができるようになる。
【００５２】
本発明に係る通報処理方法は、構造物に取付けられ、少なくともタグ識別情報を含むタグ情報を記憶した無線タグから無線通信によって前記タグ情報を読み出す携帯型リーダ装置と所定の通信ネットワークを介して情報通信を行う装置での通報処理方法であって、前記携帯型リーダ装置から前記タグ情報及び所定の付加情報を受信するステップと、各無線タグのタグ識別情報に対応付けて通報先施設を特定する通報先情報を管理する管理データベースから前記受信したタグ情報に含まれるタグ識別情報に対応した通報先情報を検索するステップと、前記通信先情報に基づいて前記タグ情報及び付加情報を前記通報先施設に通報用ネットワークを介して送信するステップとを有する構成となる。
【００５３】
このような構成により、携帯型リーダ装置からタグ情報及び付加情報が受信されたときに、前記タグ情報に含まれるタグ識別情報に対応して管理データベースにて管理される通報先情報に基づいて前記タグ情報及び付加情報が通報先施設に送信される。
【００５４】
また、本発明に係る通報処理方法は、構造物に取付けられ、少なくともタグ識別情報及び通報先施設を特定する通報先情報を含むタグ情報を記憶した無線タグから無線通信によって前記タグ情報を読み出す携帯型リーダ装置と所定の通信ネットワークを介して情報通信を行う装置での通報処理方法であって、前記携帯型リーダ装置から前記タグ情報及び所定の付加情報を受信するステップと、前記受信したタグ情報に含まれる通報先情報に基づいて前記タグ情報及び付加情報を前記通報先施設に通報用ネットワークを介して送信するステップを有する構成となる。
【００５５】
このような構成により、携帯型リーダ装置からタグ情報及び付加情報が受信されときに、前記タグ情報に含まれる通報先情報に基づいて前記タグ情報及び付加情報が通報先施設に送信される。
【００５６】
更に、本発明に係る通報処理方法は、構造物に取付けられ、少なくともタグ識別情報を含むタグ情報を記憶した無線タグから無線通信によって前記タグ情報を読み出す携帯型リーダ装置と所定の通信ネットワークを介して情報通信を行う装置での通報処理方法であって、前記携帯型リーダ装置から前記タグ情報及び所定の付加情報を受信するステップと、各無線タグのタグ識別情報に対応付けて通報先施設を特定する通報先情報を管理する管理データベースから前記受信したタグ情報に含まれるタグ識別情報に対応した通報先情報を検索するステップと、前記通報先情報にて特定される通報先施設に前記タグ情報及び付加情報を通知するための所定の支援処理を行なうステップとを有する構成となる。
【００５７】
このような構成により、携帯型リーダ装置からタグ情報及び付加情報が受信されたときに、前記タグ情報に含まれるタグ識別情報に対応して管理データベースにて管理される通報先情報にて特定される通報先施設に前記タグ情報及び付加情報を通知するための支援処理が行なわれる。
【００５８】
また、本発明に係る通報処理方法は、構造物に取付けられ、少なくともタグ識別情報及び通報先施設を特定する通報先情報を含むタグ情報を記憶した無線タグから無線通信によって前記タグ情報を読み出す携帯型リーダ装置と所定のネットワークを介して情報通信を行う装置での通報処理方法であって、前記携帯型リーダ装置から前記タグ情報及び所定の付加情報を受信するステップと、前記受信したタグ情報に含まれる通報先情報にて特定される通報先施設に前記タグ情報及び付加情報を通知するための所定の支援処理を行なうステップを有する構成となる。
【００５９】
このような構成により、携帯型リーダ装置からタグ情報及び付加情報が受信されたときに、前記タグ情報に含まれる通報先情報にて特定される通報先施設に前記タグ情報及び付加情報を通知するための支援処理が行なわれる。
【発明の効果】
【００６０】
本発明に係る通報システムによれば、例えば構造物の異常を発見した者により所持される携帯型リーダ装置が前記構造物に取付けられた無線タグからタグ情報を読出し、更に付加情報を生成すると、そのタグ情報及び付加情報が携帯型リーダ装置から通報管理装置に送信され、更に、前記タグ情報に含まれるタグ識別情報に対応して管理データベースにて管理される通報先情報に基づいて前記タグ情報及び付加情報が通報先施設に送信される。これにより、前記構造物の異常を発見した者は、その異常を通報すべき通報先施設を意識しなくても、構造物に取付けられた無線タグから読み出されるタグ情報及び付加情報を前記通報先施設に送ることができるようになる。従って、前記付加情報を適当に定めることにより、構造物の異常をその管理団体（通報先施設の管理者）に容易に通報することができるようになる。
【発明を実施するための最良の形態】
【００６１】
本発明の実施の形態について、図面を用いて説明する。
【００６２】
本発明の実施の一形態に係る通報システムは、図１に示すように構成される。
【００６３】
図１において、公衆電話ボックス１０１、マンホール１０２、電柱１０３、ビル１０４、ビル１０４のショウウインドウ１０４ａ、１０４ｂ等の構造物に無線タグ１０（１０ａ〜１０ｆ）が取付けられている。各構造物への無線タグ１０の取り付けは各構造物を所有、管理する者が行なうことも、また、所定の管理業者が行なうこともできる。
【００６４】
携帯端末装置２０は、例えば、一般の人にて所有されるものであって、無線タグ１０との無線通信機能（リーダ機能）及び基地局３１及び移動体通信網３２を介した情報通信機能を有している。移動体通信網３２はゲートウエイ４０を介して通信ネットワーク（例えば、インターネット）５０に接続されている。通報管理業者の事業所には、通報管理サーバ２０１、補助記憶装置２０２及び端末装置２０３が設置されており、通報管理サーバ２０１は通信ネットワーク５０に設置されている。また、各構造物を管理する事業者、例えば、電話ボックス１０１の管理を行なう電話事業者、電柱１０３の管理を行なう電力事業者は、通報先施設としての管理システム３００、４００（サーバ、データベース、端末等を備える）を所有している。各管理システム（以下、通報先管理システムという）３００、４００は、通信ネットワーク５０に接続されている。
【００６５】
各構造物に取付けられた無線タグ１０（１０ａ〜１０ｆ）は、後述するようにタグ情報を格納しており、携帯端末装置２０は、無線タグ１０との無線通信により前記タグ情報の読出しを行い、そのタグ情報に対する所定の処理を行なう。また、携帯端末装置２０は、基地局３１、移動体通信網３２、ゲートウエイ４０及び通信ネットワーク５０を介して通報管理サーバ２０１との情報通信が可能となっている。通報管理サーバ２０１は、通信ネットワーク５０を通報用ネットワークとして利用して、各通報先管理システム３００、４００に通報情報を送信可能となっている。
【００６６】
各無線タグ１０（１０ａ〜１０ｆ）の具体的な構成は、図２に示すようになっている。
【００６７】
図２において、無線タグ１０は、アンテナ１１、無線回路部１２、制御部１３及びメモリ部１４を有している。メモリ部１４は、例えば、フラッシュメモリ等の不揮発性メモリにて構成され、タグ情報を格納している。アンテナ１１が携帯端末装置２０からの電波を受信すると電力が誘起され、その電力により無線回路部１２、制御部１３及びメモリ部１１が活性化される。そして、携帯端末装置２０から送信される制御信号を無線回路部１２がアンテナ１１を介して受信したときに、制御部１２の制御のもと、メモリ部１４からタグ情報が読み出され、そのタグ情報が無線回路部１２から携帯端末装置２０に送信される。
【００６８】
メモリ部１４に格納されるタグ情報は、例えば、図３に示すようなフォーマットとなっている。即ち、このタグ情報は、無線タグ１０固有のタグ識別情報となるＲＦＩＤ、無線タグ１０が取付けられる構造物の名称（電話ボックス、電柱等）、その構造物の設置位置を表す位置情報等を含む。前記名称は、その構造物を管理する事業者がわかるものであれば、構造物の型式番号等であってもよい。また、位置情報は、構造物の設置位置を特定し得るものであれば特に限定されず、番地を表すものであっても、（経度、緯度）を表すものであっても、更に、その構造物を管理する事業者独自にて決められた位置情報（例えば、設置位置と関連図けられて定義される何らかの番号等）であってもよい。
【００６９】
携帯端末装置２０の具体的な構成は、図４に示すようになっている。
【００７０】
図４において、携帯端末装置２０は、リーダ部２１、制御部２２、カメラユニット２３、画像処理部２４、移動体通信回路２５、操作部２６、表示部２７、ＧＰＳ受信機２８を有している。制御部２２の制御のもとリーダ部２１は、無線タグ１０との無線通信により前記タグ情報を受信する。カメラユニット２３は、所定の視野範囲を撮影して画像信号を生成する。画像処理部２４は、カメラユニット２３からの画像信号から所定の形式の画像データを生成して出力する。ＧＰＳ受信機２８は、衛星からのＧＰＳ信号を受信して携帯端末装置２０の位置を表す位置データ（例えば、経度・緯度データ）を生成して出力する。制御部２２は、リーダ部２１にて受信されたタグ情報、画像処理部２４から出力される画像データ及びＧＰＳ受信機２８から出力される位置データに基づいて後述するような通報情報を生成するための所定の処理を実行する。
【００７１】
操作部２６は、携帯端末装置２０の所持者によって操作され、その操作に応じた操作信号を制御部２２に供給する。表示部２７は、制御部２２の制御のもと、種々の情報表示を行なう。移動体通信回路２５は、制御部２２の制御のもと、基地局３１、移動体通信網３２、ゲートウエイ４０及び通信ネットワーク５０を介して通報管理サーバ２０１と情報通信を行う。
【００７２】
通報管理サーバ２０１に接続される補助記憶装置２０２は、図５に示すような通報管理データベースを格納する。この通報管理データベースは、各構造物に取付けられた無線タグ１０のＲＦＩＤに対応付けてその構造物の異常を通報すべき通報先施設を特定する通報先情報（通報先事業者の名称及び通信ネットワーク５０上で特定されるアドレス情報を含み得る）を管理する。この通報先情報及び対応するＲＦＩＤは、例えば、各構造物を所有管理する事業者（通報先事業者）から通報管理業者に書類により、あるいは、電子的に（電子メール、ファックス、Ｗｅｂページへのアップ等）通知され、その通報管理業者によって前記通報管理データベースに含められる。
【００７３】
前述したようなシステムにおいて、携帯端末装置２０の所持者が構造物の異常を発見した場合、例えば、電柱１０３の電線の垂れ下がりを発見した場合、前記所持者は、電柱１０３に近づき操作部２６にて予め定められた通報開始操作を行う。すると、操作部２６からその通報開始操作に対応した制御信号を入力する制御部２２は、図６に示す手順に従って処理を実行する。
【００７４】
図６において、操作部２２は、リーダ部２１にタグサーチ動作をさせる（Ｓ１）、これにより、リーダ部２１は所定周波数の電波を所定の領域範囲に対して送信する。このタグサーチの過程で、リーダ部２１が電柱１０３に取付けられた無線タグ１０ｃからタグ情報（図３参照）を受信すると（Ｓ１でＹＥＳ）、制御部２２はそのタグ情報の受信処理を実行する（Ｓ２）。これにより、リーダ部２１にて無線タグ１０ｃから読み出されたタグ情報が制御部２２にて取得される。その後、制御部２２は、付加情報生成処理を実行する（Ｓ３）。
【００７５】
前記付加情報生成処理では、制御部２２は、内部タイマにて計時される現在の日時［（年（Ｙ）、月（Ｍ）、日（Ｄ））、（時（ｔ）、分（ｍ））］を取得する。また、制御部２２は、表示部２７に情報の入力指示表示をさせる。この情報の入力指示表示を見た携帯端末装置２０の所持者は、操作部２６により電柱１０３の異常状況を表すコメント（例えば、「電線の垂れ下がり」）及びカメラユニット２３を利用した電柱１０３の撮影を行なうことができる。このようにして、所持者によるコメント、写真の入力操作が終了すると（所定の終了操作がなされると）、制御部２２は、前記日時［（Y.M.D）(t.m)］、コメント及び写真の情報から付加情報を生成する。
【００７６】
前記付加情報が生成されると、制御部２２は、通報情報を生成する（Ｓ４）。この通報情報は、図７に示すように、無線タグ１０ｃから読み出されたタグ情報と前記付加情報とを結合したものとなっている。そして、制御部２２は、移動体通信回路２５を制御して、予め特番アドレスとして内部に格納された通報管理サーバ２０１の通信ネットワーク５０上でのアドレスに宛てて前記通報情報（図７参照）を送信する（Ｓ５）。これにより、携帯端末装置２０での異常通報に係る処理が終了する。
【００７７】
一方、通報管理サーバ２０１は、図８及び図９に示す手順に従った処理を並列的に実行している。
【００７８】
図８において、通報管理サーバ２０１は、常時通報情報を受信したか否かを判定している（Ｓ１１）。その過程で、携帯端末装置２０からの通報情報を受信すると（Ｓ１１でＹＥＳ）、通報管理サーバ２０１は、その受信した通報情報から通報フィアイルを生成し（Ｓ１２）、その通報ファイルをキューに格納する（Ｓ１３）。以後、このような処理（Ｓ１１〜Ｓ１３）が繰り返し実行される。
【００７９】
また、通報管理サーバ２０１は、図９において、キューに通報ファイルが有るか否かを判定しており（Ｓ２１）、そのキューに通報ファイルがあるとの判定を行うと（Ｓ２１でＹＥＳ）、先頭の通報ファイルを読み出す（Ｓ２２）。その後、通報管理サーバ２０１は、読み出した通報ファイルの通報情報（図７参照）からＲＦＩＤを抽出し（Ｓ２４）、補助記憶装置２０２に格納された通報管理データベース（図５参照）から前記ＲＦＩＤに対応した通報先情報を検索する（Ｓ２４）。前記ＲＦＩＤに対応した通報先情報が検索されると、通報管理サーバ２０１は、前記通報ファイルを前記通報先情報にて特定される通報先管理システム（例えば、３００）に通信ネットワーク５０（通報用ネットワーク）を介して送信する（Ｓ２５）。以後、キューに通報ファイルが格納されている状態において、前述した処理（Ｓ２１〜Ｓ２５）が繰り返し実行される。
【００８０】
通報先管理システム３００は、例えば、図１０に示すように、自事業（電力供給）にて使用する構造物（電柱１０３等）に取付けた無線タグ１０のＲＦＩＤと、その構造物の種類（型式）、その構造物の設置位置情報、及びその構造物の設計図番号等とを対応付けて管理している。通報管理システム３００は、前記通報ファイルを通報管理サーバ２０１から受信すると、前記通報ファイルの通報情報（図７参照）に含まれるタグ情報からＲＦＩＤ及び位置情報を抽出し、そのＲＦＩＤ及び位置情報に対応した構造物の種類（型式）及び設計図番号等を特定することができる。また、通報管理システム３００は、前記通報情報に含まれる付加情報を管理者に提示（表示、印刷等）できるようになり、その管理者は、構造物の異常の発見日時及びその状況等の事柄を知ることができるようになる。それにより、その構造物の回復を迅速に行なうことができるようになる。
【００８１】
前述したような通報システムでは、携帯端末装置２０の所持者は、異常の発生した構造物を発見したときに、その通報先（構造物の管理業者）が具体的にわからなくても、携帯端末装置２０に対して所定の操作を行うことにより、その構造物を特定する情報（ＲＦＩＤ、設置位置）や、その異常の状況を表す情報（日時、コメント、写真等）を含む通報情報が通報管理サーバ２０１を介してその構造物を管理する事業者の管理システムに送られるようになる。従って、構造物の異常が発見されれば、その異常が即座にその構造物を管理する事業者に通知できるようになる。
【００８２】
また、構造物を管理する事業者は、職員以外の一般の人達（携帯端末装置２０の所持者）の協力により、構造物の異常を常時監視することができるようになる。また、複数の管理事業者の構造物を個々の事業者が監視するのではなく、横断的な構造物の監視を行なうことができるようになる。
【００８３】
前述した通報システムでは、通報情報（タグ情報及び付加情報）が通報管理サーバ２０１から構造物を管理する事業者のシステム（通報管理システム３００、４００）に直接送信されるものであった。しかし、本発明に係る通報システムはこのような構成に限定されない。通報管理サーバ２０１は、携帯端末装置２０から通報情報（図７参照）を受信したときに、例えば、図１１に示すように、通報情報（ＲＦＩＤ、位置情報、日時、コメント、写真）及び通報先情報（事業者名、アドレス、電話番号、ファックス番号等）を端末装置２０３に表示させる等、オペレータが通報情報を通報先施設に通知するための支援処理を行なうようにしてもよい。
【００８４】
この場合、通報管理サーバ２０１は、図９に示す処理において、通報先施設の検索処理（Ｓ２４）が終了した後に、通報ファイルを通報先施設に送信する処理（Ｓ２５）に代えて、通報ファイルに含まれる通報情報の内容と前記検索された通報先施設を特定する通報先情報とを図１１に示すように端末装置２０３に表示させるようにすればよい。
【００８５】
図１１に示すように端末装置２０３に通報情報及び通報先情報が表示されると、それを見たオペレータは、例えば、その端末装置２０３から電子メールやブラウザ機能により通報情報を通報先施設に送ることができる。また、その通報情報を電話やファクシミリを用いて通報先の事業者に通知することもできる。
【００８６】
なお、図１１に示した通報情報及び通報先情報は、端末装置２０３に画面表示されるものであったが、例えば、プリンタからプリントアウトされるものであってもよい。
【００８７】
また、前述した通報システムにおいて、前記タグ情報には、図１２（ａ）に示すように通報先情報を含めることができる。このようにすれば、通報管理業者は、自システム（通報管理サーバ２０１、補助記憶装置２０２、端末装置２０３）に前記通報管理データベース（図５）を備えなくて済む。この場合、通報管理サーバ２０１は、図９に示す処理において、ＲＦＩＤに基づいた通報先施設の検索処理（Ｓ２３、Ｓ２４）に代えて、通報ファイルの通報情報から通報先情報を抽出する処理を行なうことにより、前記通報ファイルを通報先施設（通報管理システム３００または４００）に送信することができるようになる。また、図１１に示すように、その通報先情報を端末装置２０３に画面表示させることができるようになる。
【００８８】
更に、前記タグ情報は、図１２（ｂ）に示すように、構造物の位置情報を特に含めないこともできる。この場合、通報情報に構造物の位置情報は含まれなくなるが、通報先施設（通報管理システム３００、４００）にて図１０に示すように、ＲＦＩＤに対応付けて構造物の位置情報が管理されていれば、前記通報情報（ＲＦＩＤ）に基づいて異常の発生した構造物を特定することが可能となる。
【００８９】
タグ情報に位置情報が含まれない場合、携帯端末装置２０のＧＰＳ受信機２８にて生成された位置情報を、図１３に示すように通報情報の付加情報に含めることもできる。この場合、構造物の直接的な位置を表す位置情報に代えて携帯端末装置２０の位置情報が通報先施設に通知されることとなる。
【産業上の利用可能性】
【００９０】
以上、説明したように、本発明に係る通報システムは、構造物の異常をその管理団体に容易に通報することができるという効果を奏し、構造物の破損等の不具合を予め定めた通報先に通報する通報システムとして有用である。
【図面の簡単な説明】
【００９１】
【図１】本発明の実施の一形態に係る通報システムを示す図
【図２】無線タグの構成例を示すブロック図
【図３】タグ情報のフォーマット例を示す図
【図４】携帯端末装置の構成例を示すブロック図
【図５】通報管理データベースの構成例を示す図
【図６】携帯端末装置での処理手順を示すフローチャート
【図７】通報情報のフォーマット例を示す図
【図８】通報管理サーバでの処理手順を示すフローチャート（その１）
【図９】通報管理サーバでの処理手順を示すフローチャート（その２）
【図１０】通報先施設での管理データベースの構成例を示す図
【図１１】通報管理端末に表示される通報支援画面例を示す図
【図１２】タグ情報の他のフォーマット例を示す図
【図１３】通報情報の他のフォーマット例を示す図
【符号の説明】
【００９２】
１０、１０ａ〜１０ｆ  無線タグ
１１  アンテナ
１２  無線回路部
１３  制御部
１４  メモリ部
２０  携帯端末装置
２１  リーダ部
２２  制御部
２３  カメラ
２４  画像処理部
２５  移動体通信回路
２６  操作部
２７  表示部
２８  ＧＰＳ受信機
３１  基地局
３２  移動体通信網
４０  ゲートウエイ
５０  通信ネットワーク
１０１  公衆電話ボックス
１０１  マンホール
１０３  電柱
１０４  ビル
１０４ａ、１０４ｂ  ショウウインドウ
２０１  通報管理サーバ
２０２  補助記憶装置
２０３  端末装置
３００、４００  通報先施設
【図１】
2005228067.tif 000003
【図２】
2005228067.tif 000004
【図３】
2005228067.tif 000005
【図４】
2005228067.tif 000006
【図５】
2005228067.tif 000007
【図６】
2005228067.tif 000008
【図７】
2005228067.tif 000009
【図８】
2005228067.tif 000010
【図９】
2005228067.tif 000011
【図１０】
2005228067.tif 000012
【図１１】
2005228067.tif 000013
【図１２】
2005228067.tif 000014
【図１３】
2005228067.tif 000015